(57)【要約】【課題】隣接する間仕切パネル同士の連続性を演出できる移動間仕切装置を提供する。【解決手段】天井Ｒに設けられる誘導路３に吊支部材９を介して吊支され該誘導路３に沿って移動可能であり、パネル部材４を有する間仕切パネル１を複数連接させて空間を仕切る移動間仕切装置１０であって、間仕切パネル１は、上下方向に亘って延びる一対の縦杆部材７，７と、一対の縦杆部材７，７同士の間に配置され、これら一対の縦杆部材７，７の上下端部を連結する横杆部材６，８と、を有する枠体５と、下方に配置される該横杆部材８に沿って配置され、下方に配置される該横杆部材８と一対の縦杆部材６，６との左右の接合部Ｃ，Ｃ同士の間隔寸法Ｌ３よりも左右に長いカバー部材２０Ｂと、を備える。【選択図】図８
2019214857.tif 000002
【特許請求の範囲】
【請求項１】
天井に設けられる誘導路に吊支部材を介して吊支され該誘導路に沿って移動可能であり、パネル部材を有する間仕切パネルを複数連接させて空間を仕切る移動間仕切装置であって、
前記間仕切パネルは、
上下方向に亘って延びる一対の縦杆部材と、前記一対の縦杆部材同士の間に配置され、これら一対の縦杆部材の上下端部を連結する横杆部材と、を有する枠体と、
下方に配置される該横杆部材に沿って配置され、下方に配置される該横杆部材と前記一対の縦杆部材との左右の接合部同士の間隔寸法よりも左右に長いカバー部材と、を備えることを特徴とする移動間仕切装置。
【請求項２】
前記カバー部材は、前記横杆部材に固定されていることを特徴とする請求項１に記載の移動間仕切装置。
【請求項３】
前記カバー部材は、正面視で前記横杆部材の上端を覆うように上方に延びていることを特徴とする請求項１または２に記載の移動間仕切装置。
【請求項４】
前記カバー部材は、正面視で前記一対の縦杆部材の下端を覆うように下方に延びていることを特徴とする請求項１ないし３のいずれかに記載の移動間仕切装置。
【請求項５】
前記パネル部材は間隔をおいて対向して配置されており、
前記一対の縦杆部材は、少なくとも一部が前記一対のパネル部材間に配置されており、前記カバー部材は、前記パネル部材の左右両端まで延びていることを特徴とする請求項１ないし４のいずれかに記載の移動間仕切装置。
【請求項６】
前記カバー部材の高さ寸法は、前記間仕切パネルが連接された状態における連接された前記間仕切りパネルの前記縦杆部材同士の離間寸法よりも大きいことを特徴とする請求項１ないし５のいずれかに記載の移動間仕切装置。
【請求項７】
前記間仕切パネルは、上方に配置される前記横杆部材に沿って配置され、前記下方の横杆部材に沿って配置される下方の前記カバー部材と左右方向の長さが略同一である上方のカバー部材を備えることを特徴とする請求項１ないし６のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような間仕切パネルにあっては、連接された際に室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される移動間仕切装置は、間仕切パネルの厚み方向に対向して配設される一対の透光性パネル板（パネル部材）と、一対の透光性パネル板の周囲を取り囲むいわゆる四方枠形状の枠体と、を備えている。枠体は、一対の透光性パネル板の上辺に沿って配置される上横枠と、下辺に沿って配置される下横枠（横杆部材）と、左右両辺に沿って配置される一対の左右縦枠（縦杆部材）と、から構成され、一対の透光性パネル板の荷重を支持しており、レール（誘導路）に吊支される吊支部材が取付けられている。
【０００４】
特に下横枠には、間仕切パネルの下端と床面との間の隙間を塞ぐ閉塞部材（下部閉塞部材）及び該閉塞部材を上下方向に進退させる進退機構が備えられていることから、下横枠は一定の重量をもつ。一対の左右縦枠同士の間に下横枠を配置し、水平方向からボルト等の締結手段によって縦枠に下横枠を締結させることで、下横枠の重量を締結手段の締結方向に対して直交するようにして、下横枠の荷重を支えられる構造にしている。
【先行技術文献】
【特許文献】
【０００５】
【特許文献１】特開２０１７−２５８０号公報（第５，６頁、第２図）
【発明の概要】
【発明が解決しようとする課題】
【０００６】
しかしながら、特許文献１にあっては、上下横枠が左右縦枠の間に位置することから、間仕切パネルを連接させたときに、隣接する間仕切パネルの上下横枠の間に左右縦枠が位置し、上下横枠同士が連接方向において分断された印象を与えてしまい、間仕切パネル同士の連続性を十分に演出し難いという問題がある。
【０００７】
本発明は、このような問題点に着目してなされたもので、隣接する間仕切パネル同士の連続性を演出できる移動間仕切装置を提供することを目的とする。
【課題を解決するための手段】
【０００８】
前記課題を解決するために、本発明の移動間仕切装置は、
天井に設けられる誘導路に吊支部材を介して吊支され該誘導路に沿って移動可能であり、パネル部材を有する間仕切パネルを複数連接させて空間を仕切る移動間仕切装置であって、
前記間仕切パネルは、
上下方向に亘って延びる一対の縦杆部材と、前記一対の縦杆部材同士の間に配置され、これら一対の縦杆部材の上下端部を連結する横杆部材と、を有する枠体と、
下方に配置される該横杆部材に沿って配置され、下方に配置される該横杆部材と前記一対の縦杆部材との左右の接合部同士の間隔寸法よりも左右に長いカバー部材と、を備えることを特徴としている。
この特徴によれば、一対の縦杆部材の間に横杆部材を固定することで、下方に配置される横杆部材の荷重に対する強度を確保しながら、カバー部材が左右の該接合部同士の間隔寸法よりも左右に長いことにより、該接合部を確実に隠すことができ、隣接する間仕切パネルのカバー部材同士が近接して配置され、間仕切りパネル同士の連続性を演出することができる。
【０００９】
前記カバー部材は、前記横杆部材に固定されていることを特徴としている。
この特徴によれば、下方に配置される横杆部材に対するカバー部材の位置合わせが容易となる。
【００１０】
前記カバー部材は、正面視で前記横杆部材の上端を覆うように上方に延びていることを特徴としている。
この特徴によれば、下方に配置される横杆部材の上端をカバー部材によって確実に隠すことができ、かつ間仕切パネルを連接したときに、左右方向に延びるカバー部材を目立たせることができるため、隣接する間仕切パネル同士の連続性を演出できる。
【００１１】
前記カバー部材は、正面視で前記一対の縦杆部材の下端を覆うように下方に延びていることを特徴としている。
この特徴によれば、下方に配置される横杆部材と連結している一対の縦杆部材の下端部をカバー部材によって確実に隠すことができ、かつ間仕切パネルを連接したときに、左右方向に延びるカバー部材を目立たせることができるため、隣接する間仕切パネル同士の連続性を演出できる。
【００１２】
前記パネル部材は間隔をおいて対向して配置されており、
前記一対の縦杆部材は、少なくとも一部が前記一対のパネル部材間に配置されており、前記カバー部材は、前記パネル部材の左右両端まで延びていることを特徴としている。
この特徴によれば、縦杆部材が目立ち難く、かつ間仕切パネルを連接したときに、左右方向に延びるカバー部材を目立たせることができるため、隣接する間仕切パネル同士の連続性を演出できる。
【００１３】
前記カバー部材の高さ寸法は、前記間仕切パネルが連接された状態における連接された前記間仕切りパネルの前記縦杆部材同士の離間寸法よりも大きいことを特徴としている。
この特徴によれば、縦杆部材同士の離間寸法が相対的に小さくて目立ちにくく、間仕切パネルを連接したときに左右方向に延びるカバー部材を目立たせることができるため、隣接する間仕切パネル同士の連続性を演出できる。
【００１４】
前記間仕切パネルは、上方に配置される前記横杆部材に沿って配置され、前記下方の横杆部材に沿って配置される下方の前記カバー部材と左右方向の長さが略同一である上方のカバー部材を備えることを特徴としている。
この特徴によれば、同じ長さのカバー部材を上下に備えているので、隣接する間仕切パネルの上下の連続性を演出できる。
【図面の簡単な説明】
【００１５】
【図１】本発明の実施例１における移動間仕切装置を示す正面図である。
【図２】実施例１におけるパネル本体の構造を示す分解斜視図である。
【図３】実施例１における間仕切パネルの構造を示す分解斜視図である。
【図４】実施例１における上部閉塞部材及び下部閉塞部材の収納状態を示す縦断面図である。
【図５】実施例１における間仕切パネルの連接箇所を示す上面視における断面図である。
【図６】実施例１における上部フレーム及び下部フレームと縦フレームとの連結構造を拡大して示す分解斜視図である。
【図７】実施例１における下部フレームと縦フレームとの連結構造を拡大して示す下面図である。
【図８】（ａ）は、下部フレームにおいて下部カバー部材を取り外した状態を説明する正面図、（ｂ）は下部フレームを示す正面図である。尚、下部閉塞部材の図示は説明の便宜上、省略している。
【図９】本発明の実施例２における上部フレーム及び下部フレームと縦フレームとの連結構造を拡大して示す分解斜視図である。
【図１０】実施例２における下部フレームと縦フレームとの連結構造を拡大して示す下面図である。
【図１１】実施例２における下部フレームに取付けられた下部カバー部材を示す正面図である。
【発明を実施するための形態】
【００１６】
本発明に係る移動間仕切装置を実施するための形態を実施例に基づいて以下に説明する。
【実施例１】
【００１７】
実施例１に係る移動間仕切装置につき、図１から図８を参照して説明する。以下、図１の紙面手前側及び図４の紙面右側を移動間仕切装置の正面側（前方側）とし、その前方側から見たときの上下左右方向を基準として説明する。
【００１８】
移動間仕切装置１０は、例えば、オフィス、会議室、ショールーム、店舗等の建物内の室内を所定の区画に仕切るために用いられるものであり、図１に示されるように、本実施例では、複数の間仕切パネル１，１，…を組み合わせて構成されている。
【００１９】
移動間仕切装置１０は、室内空間の天井Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床Ｆに向けて押し付けられることにより天井Ｒから床Ｆに亘って室内空間を仕切ることができるようになっている。
【００２０】
図２に示されるように、間仕切パネル１は、前後に間隔をおいて対向配置される一対のガラスパネル４，４（パネル部材）と、一対のガラスパネル４，４を一体に保持する枠部材５（枠体）とが一体化されて構成される二重ガラスパネル構造を成すパネル本体３０を備えている。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２１】
図３に示されるように、パネル本体３０を構成する枠部材５は、上部フレーム６（横杆部材）、縦フレーム７，７（縦杆部材）及び下部フレーム８（横杆部材）とから構成されている。上部フレーム６と下部フレーム８とには、上部閉塞部材１１及び下部閉塞部材１２とが収納されている（図４参照）。上部フレーム６と上部閉塞部材１１との間及び下部フレーム８と下部閉塞部材１２との間には、図示しない進退機構が配置されており、上部閉塞部材１１または下部閉塞部材１２とそれぞれに対応する各進退機構とが一体化されて上部閉塞機構と下部部閉塞機構とがそれぞれ構成されている。図４に示されるように、これら上部閉塞部材１１及び下部閉塞部材１２とは、進退機構によりレール３及び床Ｆに対して進退移動し、パネル本体３０とレール３及び床Ｆとの間を遮蔽可能となっている。
【００２２】
図３及び図４に示されるように、枠部材５は、ガラスパネル４，４の上下方向に亘って延び、該一対のガラスパネル４，４の側端縁に沿って配置される一対の縦フレーム７，７と、一対の縦フレーム７，７の上端部と下端部をそれぞれ接続する上部フレーム６と下部フレーム８と、により四方枠形状に構成されている。尚、ガラスパネル４，４と枠部材５との接続については、後に詳述する。
【００２３】
縦フレーム７は、間仕切パネル１の上下方向に延びる被覆部材７０と、間仕切パネル１の上下方向に延び被覆部材７０により被覆される芯部材７１とから、左右方向に厚みを有する板状に構成され、一対のガラスパネル４，４の間に配設されている。被覆部材７０は、アルミ合金等の金属製の押出成形品であり、芯部材７１は、左右方向に厚みを有する鋼製の板材である。
【００２４】
また、縦フレーム７，７の側部には、それぞれ側部カバー部材７６，７７が取付けられている。図５に示されるように、側部カバー部材７６，７７は、縦フレーム７，７と固定される基部７６ａ，７７ａと、基部７６ａ，７７ａから一対のガラスパネル４，４の側端面４ｂ，４ｂにそれぞれ沿って延びる縁部７６ｂ，７７ｂとを備えて構成されており、縁部７６ｂ，７７ｂが、一対のガラスパネル４，４の側端面４ｂ，４ｂをそれぞれ保護できるようになっている。
【００２５】
側部カバー部材７６，７７の縁部７６ｂ，７７ｂと並設されるガラスパネル４，４の側端面４ｂ，４ｂとは両面テープ７５，７５で固着されている。これによれば、側部カバー部材７６，７７の縁部７６ｂ，７７ｂが、並設されるガラスパネル４，４の側端面４ｂ，４ｂに固着されて一体化されることで、側部カバー部材７６，７７の縁部７６ｂ，７７ｂの構造強度が高くなるため、側部カバー部材７６，７７の縁部７６ｂ，７７ｂを薄く形成し、連接される間仕切パネル１，１，…の並設されるガラスパネル４，４，…同士の連続性を阻害しにくくすることができる。
【００２６】
図５に示されるように、側部カバー部材７６は、基部７６ａにおいて紙面右方に凹む凹部７６ｃを有し、側部カバー部材７７は、凹部７６ｃに嵌合可能な凸部７７ｃを有している。また、側部カバー部材７６の凹部７６ｃにはゴム等の弾性部材７６ｄが設けられており、隣接する間仕切パネル１，１が左右方向に連接される際には、側部カバー部材７６の凹部７６ｃと側部カバー部材７７の凸部７７ｃとの嵌合により該弾性部材７６ｄが圧接され、隣接する間仕切パネル１，１間における密閉性及び遮音性が高められるとともに、緩衝機能を備えている。
【００２７】
ここで、上部フレーム６及び上部カバー部材２０Ａ（上方のカバー部材）の構成及び作用効果は、下部フレーム８及び下部カバー部材２０Ｂ（カバー部材）について上下対称に略同一である。以後は、上部フレーム６及び上部カバー部材２０Ａについては、異なる構成及び作用効果の場合のみ説明する。
【００２８】
図４及び図６に示されるように、下部フレーム８は、一対の鉛直壁部８１，８１と、一対の鉛直壁部８１，８１の上端の間を前後方向に連結する水平部８５と、水平部８５より下方に突出する突出部８６と、鉛直壁部８１，８１からそれぞれ前後方向に沿って延出する延出部８２，８２と、から構成されており、水平部８５及び鉛直壁部８１，８１の上方は一対のガラスパネル４，４の間に位置するとともに、延出部８２，８２はガラスパネル４の下端面４ｄ，４ｄが対向配置される。また、下部フレーム８には、一対の鉛直壁部８１，８１及び水平部８５によって側面視下向き略コ字状の下部チャンネル部８３が形成されており、下部閉塞部材１２が収容されている。尚、一対の鉛直壁部８１，８１の前後方向の間隔は、縦フレーム７の前後方向の寸法と略同寸法となっている。
【００２９】
また、図６及び図７に示されるように、下部フレーム８の突出部８６には、左右方向に貫通して延び下方に開放する溝８ｄが形成されており、下部フレーム８の左右両端部において溝８ｄに鉛直鋼製の下部芯部材８４，８４（左側のみ図示）が挿入・固定されている。詳しくは、突出部８６は前後に離間して下方に延びる前後の垂下壁の下端から前方または後方に延びる下壁部８ｆによって構成されており、溝８ｄは水平部８５（図４参照）、前後の垂下壁、下壁部８ｆ，８ｆにより区画され、側面視略矩形状に形成されるとともに、下方は左右方向に沿って延びるスリット８ｇとなっている。また、スリット８ｇの左右方向端部は、左右方向中央部よりも前後方向に幅広な幅広部８ｈとなっている。そして、左方に配置される下部芯部材８４は、略直方体状に形成されており、左側面に１つのネジ孔８４ｂ（図４参照）、上面右方に２つのネジ孔８４ｃ，８４ｃが形成されている。
【００３０】
溝８ｄに挿入された下部芯部材８４は、下壁部８ｆの上面に接触した状態で図示しないネジを下方からネジ孔８４ｃ，８４ｃに締結されることで、下部フレーム８に固定されており、下部芯部材８４と下壁部８ｆとの相対移動が防止されている。尚、右側の下部芯部材８４も左側の下部芯部材８４と同様の形態で下部フレーム８に固定されている（図示略）。
【００３１】
また、図６を参照して、上部フレーム６は下部フレーム８を略上下反転した構成であり、上部芯部材６４には吊支部材９（図４等参照）を接続可能な筒状の接続部６４ｂが設けられている。
【００３２】
図６に示されるように、芯部材７１は、板状を成し、被覆部材７０よりも上下方向に長尺に構成され、その上下両端部が被覆部材７０よりも上下に突出している。芯部材７１の下端部は、下部フレーム８の下部チャンネル部８３（図４参照）よりも前後方向の寸法が小さく形成されており、下部フレーム８の前後方向略中央かつ下部フレーム８の長手方向の端面に当接した状態で、下部フレーム８に対して該下部フレーム８の長手方向に延びる一対のネジ１８，１８で固定される。
【００３３】
また、図７に示されるように、芯部材７１の下端部は、当該下端部の外側を覆う下面視略コ字状の下部キャップ７９とともに、左方からネジ１９で下部芯部材８４に対して固定されている。
【００３４】
また、上部フレーム６と縦フレーム７との連結構造に関しても、下部フレーム８と縦フレーム７との連結構造と同様に、縦フレーム７を構成する芯部材７１の上端部が上部フレーム６に対してネジ１３，１３で固定される（図６参照）。尚、上部フレーム６の溝６ｄに挿入される上部芯部材６４は、上方から吊支部材９が接続される（図４参照）。
【００３５】
尚、枠部材５において、縦フレーム７の芯部材７１の下端部や下部キャップ７９と、下部フレーム８との左右両端部との接合部Ｃには、正面視において上下方向に延びる境界線Ｂが形成されている（図８（ａ）参照）。また、下部キャップ７９は必ずしも下部フレームに接合せず離間した配置でもよい。さらに尚、図８（ａ）において、芯部材７１及び下部フレーム８に対して螺入されているネジ１８についても、便宜上破線にて図示している。
【００３６】
ここで、一対のガラスパネル４，４と枠部材５との固定について図５に基づいて説明する。図５に示されるように、枠部材５を構成する縦フレーム７は、一対のガラスパネル４，４間に配置され、縦フレーム７を構成する被覆部材７０は、一対のガラスパネル４，４の対向面４ａ，４ａに沿って上下方向に延びる支持面７０ａ，７０ｂが形成されており、一対のガラスパネル４，４と縦フレーム７とは、支持面７０ａ，７０ｂに沿って上下方向に延びる２条の透明な両面テープ７５，７５により接着されることで枠部材５にガラスパネル４，４が固定されている。また、ガラスパネル４，４は、上部フレーム６の延出部６２，６２と下部フレーム８の延出部８２，８２により枠部材５に対して傾きなく位置決めされる（図４参照）。
【００３７】
図６に示されるように、上部フレーム６の延出部６２，６２及び下部フレーム８の延出部８２，８２には、ガラスパネル４，４の表面４ｅ，４ｅに沿って延びる上部カバー部材２０Ａ，下部カバー部材２０Ｂがそれぞれ取付けられる。
【００３８】
図４に戻って、下部フレーム８の延出部８２は、ガラスパネル４に平行な鉛直壁部８１からガラスパネル４の下端面４ｄに沿って前後方向（水平方向）に延び、ガラスパネル４の前後方向の厚みと略同寸の規制板８２ｂと、規制板８２ｂの前後端（紙面左右端）から下方に所定寸法延び、鉛直壁部８１と略平行に構成される当接板８２ａと、当接板８２ａの下端から鉛直壁部８１まで前後方向に延び、規制板８２ｂと略平行に構成される被固定板８２ｃと、によって側面視略コ字状に形成されている。尚、当接板８２ａの表面とガラスパネル４の表面４ｅとは略面一に配置されている。
【００３９】
次に、下部カバー部材２０Ｂについて説明する。図４を参照し、下部カバー部材２０Ｂは、アルミ合金等の金属製の押出成形品であり、延出部８２の当接板８２ａの表面に当接し、ガラスパネル４の表面４ｅに沿って延びるカバー片２０ａと、カバー片２０ａに直交して延びる固定片２０ｂとを備えている。固定片２０ｂは、延出部８２の被固定板８２ｃに沿う形状となっている。また、固定片２０ｂには上下方向に貫通する貫通孔２０ｄが形成され、延出部８２の被固定板８２ｃにはネジ孔８２ｄが形成され、これら貫通孔２０ｄとネジ孔８２ｄとに下方から挿入されるネジ２１（図７参照）により、下部カバー部材２０Ｂが延出部８２に固定される。
【００４０】
図４及び図８を参照して、下部カバー部材２０Ｂのカバー片２０ａの上端２０ｘは、下部フレーム８の水平部８５の上面８５ｘ（横杆部材の上端）と略同一の高さまで上方に延びており、カバー片２０ａの下端２０ｙは、固定片２０ｂよりも下方に延び、下部カバー部材２０Ｂを延出部８２に固定するネジ２１の頭部よりも下方に延びている。また、カバー片２０ａの下端２０ｙは縦フレーム７の芯部材７１の下端７１ｙ（縦杆部材の下端）よりも下方に延びている。尚、カバー片２０ａの高さ寸法Ｈは、隣接する間仕切パネル１，１の縦フレーム７，７の側部カバー７６，７７同士の離間寸法Ｇ（縦杆部材同士の離間寸法）（図５参照）よりも大きい。
【００４１】
図８を参照して、下部カバー部材２０Ｂ（左側のみ図示）は、ガラスパネル４の左右寸法Ｌ２と同じ左右寸法Ｌ１である（Ｌ１＝Ｌ２）。尚、下部カバー部材２０Ｂは、下部フレーム８と縦フレーム７，７の芯部材７１の下端部とが左右のネジ１８，１８により接合される左右の接合部Ｃ，Ｃ間の寸法Ｌ３よりも長尺である（Ｌ１＞Ｌ３）ことは言うまでもない。
【００４２】
これによれば、本実施例の移動間仕切装置１０を構成する間仕切パネル１は、下部フレーム８の長手方向に沿って延び、一対の縦フレーム７，７の芯部材７１，７１下端部と下部フレーム８との左右の接合部Ｃを隠せる程度に長尺な下部カバー部材２０Ｂを備えている。したがって、該接合部Ｃの正面視において上下方向に延びる境界線Ｂ（図８参照）は下部カバー部材２０Ｂによって隠されるため、隣接する間仕切パネル１，１の下部カバー部材２０Ｂ，２０Ｂ同士を連接した際に、隣接する間仕切パネル１，１は左右に連続する印象を与え、間仕切りパネル装置の連続性を演出することができる（図１参照）。
【００４３】
また、下部カバー部材２０Ｂのカバー片２０ａの上端２０ｘは、下部フレーム８の水平部８５の上面８５ｘと略同一の高さまで上方に延びている。これによれば、下部カバー部材２０Ｂのカバー片２０ａの上端２０ｘと下部フレーム８の水平部８５の上面８５ｘとの高さが統一され、間仕切パネル１の見栄えをよくすることができるばかりか、間仕切パネル１，１を連接したときに、左右方向に延びる下部カバー部材２０Ｂを目立たせることができるため、隣接する間仕切パネル１，１は左右に連続する印象を与える。
【００４４】
また、下部フレーム８の鉛直壁部８１上部と、規制板８２ｂと、下部カバー部材２０Ｂのカバー片２０ａ上部と、により側面視上向きコ字状の凹部が形成され、該凹部にガラスパネル４の下端部が嵌入される（図４参照）。これによれば、ガラスパネル４の下端部が規制板８２ｂによって保護されるばかりか、鉛直壁部８１上部及びカバー片２０ａ上部によってガラスパネル４の前後への移動を規制することができる。
【００４５】
また、下部カバー部材２０Ｂのカバー片２０ａの下端２０ｙは、縦フレーム７の芯部材７１の下端７１ｙよりも下方に延びていることから、縦フレーム７下端部を下部カバー部材２０Ｂによって確実に隠すことができ、かつ間仕切パネル１，１を連接したときに、左右方向に延びる下部カバー部材２０Ｂ，２０Ｂを目立たせることができるため、隣接する間仕切パネル１，１は左右に連続する印象を与える。
【００４６】
また、下部カバー部材２０Ｂのカバー片２０ａの下端２０ｙは、ネジ２１のネジ頭よりも下方に延びていることから、ネジ止めされたネジ２１を下部カバー部材２０Ｂのカバー片２０ａによって確実に隠すことができ、美観に優れる。
【００４７】
また、下部カバー部材２０Ｂは、下部フレーム８の延出部８２に沿って固定されているため、下部フレーム８に対する下部カバー部材２０Ｂの位置合わせが容易となる。また、下部カバー部材２０Ｂがたわみにくい。
【００４８】
また、下部カバー部材２０Ｂのカバー片２０ａの高さ寸法Ｈは、隣接する間仕切パネル１，１の縦フレーム７，７の側部カバー７６，７７同士の離間寸法Ｇよりも大きいため、縦フレーム７，７同士の離間寸法Ｇが相対的に小さくて目立ちにくく、間仕切パネル１，１を連接したときに左右方向に延びる下部カバー部材２０Ｂ，２０Ｂを目立たせることができるため、隣接する間仕切パネル１，１同士の連続性を演出できる。
【００４９】
また、下部カバー部材２０Ｂは、ガラスパネル４の左右両端まで延びているため、間仕切パネル１，１を連接したときに、左右方向に延びる下部カバー部材２０Ｂ，２０Ｂを目立たせることができ、隣接する間仕切パネル１，１は左右に連続する印象を与える。
【００５０】
また、上部カバー部材２０Ａは、下部カバー部材２０Ｂと左右方向の長さが略同一であることから、同じ長さの上部カバー部材２０Ａ及び下部カバー部材２０Ｂを上下に備えているので、隣接する間仕切パネル１，１の上下において左右に連続する印象を与える。
【００５１】
また、縦フレーム７は一対のガラスパネル４，４の間に配設されているため、縦フレーム７の印象を抑え、連接した間仕切パネル１，１は左右に連続する印象を与える。
【００５２】
また、間仕切パネル１は、上下方向に亘って延びる一対の縦フレーム７，７と、一対の縦フレーム７，７同士の間に配置され、一対の縦フレーム７，７の上下端部を連結する上部フレーム６及び下部フレーム８とを有する枠部材５を備えている。これによれば、下部フレーム８の荷重に対する強度を確保しつつ、上述した間仕切りパネル装置の連続性を演出することができる。
【実施例２】
【００５３】
実施例２に係る移動式間仕切装置につき、図９〜図１１を参照して説明する。尚、前記実施例に示される構成部分と同一のものについては、同一符号を付して重複する説明を省略する。また、上部フレーム１０６及び上部カバー部材２０Ａの構成及び作用効果は、下部フレーム１０８及び下部カバー部材２０Ｂについて上下対称に略同一であるため、上部フレーム１０６及び上部カバー部材２０Ａの説明を省略する。
【００５４】
本実施例における間仕切パネル１０１の下部フレーム１０８は、図９を参照して、左右両端がそれぞれ左右両端から左右方向に所定範囲切り欠かれた切欠部１０８ｂ（左側のみ図示）が形成されており、下面視Ｈ字状を成している。また、縦フレーム７と下部フレーム１０８とが切欠部１０８ｂ内で連結されている。尚、左右両端から左右方向に切り欠かれた切欠部１０８ｂの左右寸法は、縦フレーム７の被覆部材７０の左右幅と略同一である。
【００５５】
また、下部フレーム１０８の一対の鉛直壁部１８１，１８１及び一対の延出部１８２，１８２の左右端面に対して、下部キャップ１７９が当接して配置される（図１０、図１１参照）。詳しくは、鉛直壁部１８１の上下の略中央及び延出部１８２によって矩形孔１８２ｅが形成されており（図９参照）、一対の矩形孔１８２ｅ，１８２ｅに対して下部キャップ１７９が嵌入される。これによれば、下部フレーム１０８の一対の鉛直壁部１８１，１８１及び一対の延出部１８２，１８２の左右端面を保護することができるばかりか、間仕切パネル１０１に下部キャップ１７９と上部カバー部材２０Ａ及び下部カバー部材２０Ｂと側部カバー部材７６，７７とが備えられていることにより、これらの部材によって枠部材１０５が側端部に亘って被覆されているため、美観に優れる。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、下部（上部）カバー部材は下部（上部）フレームの長手方向に沿って延び、ガラスパネル４の左右寸法Ｌ１と同じであると説明したが、これに限らず、ガラスパネル４の左右寸法Ｌ１より半分以下の長さの複数の下部（上部）カバー部材を下部（上部）フレームに沿って任意の位置に配置してもよい。好ましくは、複数の下部（上部）カバー部材のうちの２つの下部（上部）カバー部材は、各々下部（上部）フレームの左右両端部に配置されているのがよい。
【００５８】
尚、前段落の構成に限らず、下部（上部）カバー部材の左右寸法は少なくとも接合部Ｃ，Ｃ間の寸法Ｌ３程度あればよく、好ましくは該寸法Ｌ３よりも長尺であるのがよい。また、下部（上部）カバー部材の左右寸法はガラスパネル４の左右寸法Ｌ１より長尺であってもよい。
【００５９】
また、下部（上部）カバー部材のカバー片の上端（下端）は、下部（上部）フレームの水平部の上面（下面）と略同一の高さまで上方（下方）に延びていると説明したが、これに限らず、これらの高さがそろっていなくてもよい。
【００６０】
また、下部（上部）カバー部材を下部（上部）フレームの延出部の被固定面に対してネジ２１で固定すると説明したが、これに限らず、例えば接着剤、粘着剤、両面テープ等による固着や、フック部材等による係止でもよい。
【００６１】
また、下部（上部）カバー部材はカバー片と固定片とを備えると説明したが、これに限らず、例えばカバー片のみから成る下部（上部）カバー部材であっても、カバー片の一端に固定片が配置されるようなＬ字状であってもよい。
【００６２】
また、下部（上部）カバー部材は下部（上部）フレームに固定されると説明したが、これに限らず、縦フレームに固定されていてもよい。
【００６３】
また、下部（上部）カバー部材は下部（上部）フレームと別体の部材として説明したが、これに限らず、下部（上部）フレームにおいて下部（上部）カバー部材に相当する部材が一体となっていてもよい。
【００６４】
また、下部（上部）カバー部材と下部（上部）キャップと別体の部材として説明したが、これに限らず、下部（上部）カバー部材と下部（上部）キャップとを一体とし、上面視略Ｌ字状の部材としてもよい。
【００６５】
また、下部フレーム及び上部フレームの延出部は、壁部と合わせて略矩形状を成すと説明したが、これに限らず、延出部が当接板のみから成り、壁部と合わせて略Ｌ字状を成してもよい。
【００６６】
また、ガラスパネル４，４が前後に２枚設けられる間仕切パネル１について説明したが、これに限らず、間仕切パネルは、ガラスパネルが１枚または３枚以上の複数設けられるものであってもよい。
【００６７】
また、パネル部材としてガラスパネル４を利用する形態を例示したが、これに限らず、例えば、パネル部材は、透光性を有さない非透光パネル部材や、光の反射性を有する鏡やミラーガラス等のパネル部材で構成されていてもよく、またこれらの数種類のパネル部材を任意の順番に並べてもよい。
【００６８】
また、枠部材５は一対の縦フレーム７，７と下部フレーム及び上部フレームとによって主に構成されると説明したが、これに限らず、下部フレームと上部フレームとの間の任意の高さ位置において、任意の数の横桟を設けてもよい。
【００６９】
また、枠部材５を構成する一対の縦フレーム７，７に対して一対のガラスパネル４，４がそれぞれ両面テープ７５，７５により固着されて支持されるものについて説明したが、これに限らず、ガラスパネル４，４は、縦フレーム７，７だけでなく、上部フレームと下部フレームとに対しても両面テープにより固着されていてもよい。また、上部フレームと下部フレーム及び縦フレーム７，７に対するガラスパネル４，４の固着は、両面テープによるもの限らず、接着剤や粘着剤が使用されてもよい。また、一対のガラスパネル４，４と縦フレーム７，７とを固着する粘着材は、上下方向に分割されていてもよい。
【符号の説明】
【００７０】
１                間仕切パネル
３                レール（誘導路）
４                ガラスパネル（パネル部材）
５                枠部材（枠体）
６                上部フレーム（横杆部材）
７                縦フレーム（縦杆部材）
８                下部フレーム（横杆部材）
１０              移動間仕切装置
２０Ｂ            下部カバー部材（カバー部材）
３０              パネル本体
７０              被覆部材
７１              芯部材
８１              鉛直壁部
８２              延出部
８３              下部チャンネル部
８４              下部芯部材
８５              水平部
８６              突出部
１０１            間仕切パネル
１０５            枠部材（枠体）
１０８            下部フレーム（横杆部材）
１０８ｂ          切欠部
Ｒ                天井
Ｆ                床
Ｃ                接合部
Ｂ                境界線
Ｇ                縦フレーム７，７同士の離間寸法
Ｈ                下部カバー部材２０Ｂのカバー片２０ａの高さ寸法
Ｌ１              下部カバー部材２０Ｂの左右寸法
Ｌ２              ガラスパネル４の左右寸法
Ｌ３              接合部Ｃ，Ｃ間の寸法
【図１】
2019214857.tif 000003
【図２】
2019214857.tif 000004
【図３】
2019214857.tif 000005
【図４】
2019214857.tif 000006
【図５】
2019214857.tif 000007
【図６】
2019214857.tif 000008
【図７】
2019214857.tif 000009
【図８】
2019214857.tif 000010
【図９】
2019214857.tif 000011
【図１０】
2019214857.tif 000012
【図１１】
2019214857.tif 000013